(57)【要約】【課題】撮影者の意図に合致した撮影条件（撮影パラメータ）による撮影を自動的に行う。【解決手段】事前に得られた撮影画像の中から顔を検出する。撮影画像に複数の顔を含まれる場合、画像の中央に最も近い顔の撮影に適した撮影パラメータと、最も大きな顔の撮影に適した撮影パラメータと、全ての顔を均等に取り扱った撮影パラメータと、撮影領域全体を均等に取り扱った撮影パラメータと、を作成する。そして、シャッタボタン押下に従って、各撮影パラメータを適用した４つのブラケット画像を連続撮影する。各撮影パラメータは、フォーカスレンズの位置や絞りの開度などを特定する。【選択図】図６
2008109551.tif 000002
【特許請求の範囲】
【請求項１】
撮像手段の撮影によって得られた撮影画像の中から所定種類の物体を検出する物体検出手段と、
前記撮影画像上における前記物体についての情報に基づいて、撮影条件を表す撮影パラメータを複数生成するパラメータ生成手段と、を備え、
特殊撮影を行うための所定の撮影指示がなされた際、事前に生成された各撮影パラメータを適用して順次撮影を行うことにより、前記複数の撮影パラメータによる複数の撮影画像を複数のブラケット画像として得る
ことを特徴とする撮像装置。
【請求項２】
前記情報は、前記撮影画像上における前記物体の位置を特定する
ことを特徴とする請求項１に記載の撮像装置。
【請求項３】
前記情報は、前記撮影画像上における、前記物体の大きさ及び個数の少なくとも一方を特定する
ことを特徴とする請求項２に記載の撮像装置。
【請求項４】
前記複数のブラケット画像を順序付けるための順序付け指示を受け付ける指示受付手段と、
各ブラケット画像を、ファイル名を付けて記憶する記憶手段と、
前記順序付け指示による前記複数のブラケット画像間の順序に基づいて、各ブラケット画像に対応付けられた前記ファイル名を変更するファイル名変更手段と、を更に備えた
ことを特徴とする請求項１〜請求項３の何れかに記載の撮像装置。
【請求項５】
前記複数のブラケット画像を順序付けるための順序付け指示を受け付ける指示受付手段を、更に備え、
次回以降の前記特殊撮影に対する複数の撮影パラメータの適用順序は、前記順序付け指示を考慮して設定される
ことを特徴とする請求項１〜請求項３の何れかに記載の撮像装置。
【請求項６】
各撮影パラメータは、前記物体を含む被写体についての光学像を前記撮像手段の撮像素子上で結像させるためのフォーカスレンズの位置を特定し、
前記複数の撮影パラメータの適用順序は、その複数のブラケット画像を撮影する間における前記フォーカスレンズの位置の変化方向の同一性を考慮して設定される
ことを特徴とする請求項１〜請求項５の何れかに記載の撮像装置。
【請求項７】
各撮影パラメータは、前記撮像手段の撮像素子への入射光量を制御する絞りの開度を特定し、
前記複数の撮影パラメータの適用順序は、その複数のブラケット画像を撮影する間における前記開度の変化方向の同一性を考慮して設定される
ことを特徴とする請求項１〜請求項６の何れかに記載の撮像装置。
【請求項８】
前記物体は、人物の顔を含む
ことを特徴とする請求項１〜請求項７の何れかに記載の撮像装置。
【請求項９】
請求項１〜請求項８の何れかに記載の撮像装置にて得られた撮影画像を表示可能な表示手段と、
前記表示手段の表示内容を制御する表示制御手段と、を備え、
前記表示制御手段は、前記撮像装置による前記特殊撮影に対応する画像を前記表示手段に表示させる際、前記複数のブラケット画像の中から択一的に代表画像を選び、前記特殊撮影に対応する表示領域に該代表画像を表示させる
ことを特徴とする画像再生装置。
【請求項１０】
前記表示領域に表示される前記代表画像は、前記複数のブラケット画像の中で、時間に応じて自動的に或いは外部からの切り換え指示に応じて切り換わる
ことを特徴とする請求項９に記載の画像再生装置。
【発明の詳細な説明】
【技術分野】
【０００１】
本発明は、デジタルスチルカメラ又はデジタルビデオカメラ等の撮像装置に関し、特に、自動的に焦点や露出等の撮影条件を設定する技術に関する。また本発明は、その撮像装置にて撮影された画像を再生表示する画像再生装置に関する。
【背景技術】
【０００２】
自動合焦機能（オートフォーカス機能）を備えた従来の撮像装置では、画面中央部の１つ又は複数の領域を測距領域として自動合焦を行うのが一般的である。しかしながら、この測距方式では、人物を撮影する際、人物と測距領域が重なる構図にして自動合焦を行い、合焦後、希望の構図に変更して撮影を行う必要がある。
【０００３】
このような手間を省くことを目的として、撮影領域内に含まれる人物の顔を検出し、検出された顔を含む領域を測距領域として自動合焦制御を行う手法が開示されている（例えば、下記特許文献１参照）。
【０００４】
ところが、撮影環境や撮影者の意図は常に一定という訳ではないため、顔を含む領域を測距領域とすることが常に最も好ましいとは限らない。
【０００５】
また、撮影領域内に顔が複数含まれる場合は、顔に着目した撮影条件が複数存在するようになる（例えば、第１の顔を測距領域に含めた撮影条件と、第２の顔を測距領域に含めた撮影条件）。このような場合は、複数の撮影条件（撮影パラメータ）の中から１つの撮影条件を、撮像装置における自動設定、撮影者による事前設定または撮影直前の手動設定などによって選択し、その選択した１つの撮影条件を適用して実際の撮影を行っていた。
【０００６】
しかしながら、上述したように撮影環境や撮影者の意図は常に一定という訳ではないため、自動設定や事前設定では、このような状況の違いを的確に反映することは難しい。また、撮影直前に撮影者が手動設定する場合、手動操作によるタイムラグが発生するため、所望の撮影タイミングを逃すといった問題がある。
【０００７】
【特許文献１】特開２００３−１０７３３５号公報
【発明の開示】
【発明が解決しようとする課題】
【０００８】
人物の顔に着目した撮影を行う場合を例にとり、従来の手法の問題点を説明したが、人物の顔以外の物体に着目して撮影を行う場合も同様の問題が発生しうる。
【０００９】
そこで本発明は、手動操作によるタイムラグ等を生じさせることなく、撮影者の意図に近い画像の取得可能性の向上に寄与する撮像装置を提供することを目的とする。また本発明は、その撮像装置にて撮影された画像の確認容易化に寄与する画像再生装置を提供することを目的とする。
【課題を解決するための手段】
【００１０】
上記目的を達成するために本発明に係る撮像装置は、撮像手段の撮影によって得られた撮影画像の中から所定種類の物体を検出する物体検出手段と、前記撮影画像上における前記物体についての情報に基づいて、撮影条件を表す撮影パラメータを複数生成するパラメータ生成手段と、を備え、特殊撮影を行うための所定の撮影指示がなされた際、事前に生成された各撮影パラメータを適用して順次撮影を行うことにより、前記複数の撮影パラメータによる複数の撮影画像を複数のブラケット画像として得ることを特徴とする。
【００１１】
これにより、所定の撮影指示（例えば、１回のシャッタボタン押下）によって、複数の撮影パラメータに従った複数のブラケット画像が撮影される。このため、撮影者が意図した画像が、この撮影指示によって得られる可能性が高まる。
【００１２】
具体的には例えば、前記情報は、前記撮影画像上における前記物体の位置を特定する。
【００１３】
更に具体的には例えば、前記情報は、前記撮影画像上における、前記物体の大きさ及び個数の少なくとも一方を特定する。
【００１４】
また例えば、前記撮像装置は、前記複数のブラケット画像を順序付けるための順序付け指示を受け付ける指示受付手段と、各ブラケット画像を、ファイル名を付けて記憶する記憶手段と、前記順序付け指示による前記複数のブラケット画像間の順序に基づいて、各ブラケット画像に対応付けられた前記ファイル名を変更するファイル名変更手段と、を更に備えている。
【００１５】
これにより、ファイル管理上の便宜が図られる。
【００１６】
また例えば、前記撮像装置は、前記複数のブラケット画像を順序付けるための順序付け指示を受け付ける指示受付手段を、更に備え、次回以降の前記特殊撮影に対する複数の撮影パラメータの適用順序は、前記順序付け指示を考慮して設定される。
【００１７】
これにより、次回以降の特殊撮影において、撮影者の意図により合致した順序での各撮影パラメータの適用が期待される。
【００１８】
また例えば、各撮影パラメータは、前記物体を含む被写体についての光学像を前記撮像手段の撮像素子上で結像させるためのフォーカスレンズの位置を特定し、前記複数の撮影パラメータの適用順序は、その複数のブラケット画像を撮影する間における前記フォーカスレンズの位置の変化方向の同一性を考慮して設定される。
【００１９】
また例えば、各撮影パラメータは、前記撮像手段の撮像素子への入射光量を制御する絞りの開度を特定し、前記複数の撮影パラメータの適用順序は、その複数のブラケット画像を撮影する間における前記開度の変化方向の同一性を考慮して設定される。
【００２０】
これらは、複数のブラケット画像の撮影時間の短縮化に寄与する。この結果、被写体或いは撮影者にとってより望ましいタイミングで撮影を行うことが可能となる。
【００２１】
また具体的には例えば、前記物体は、人物の顔を含む。
【００２２】
また、上記目的を達成するために本発明に係る画像再生装置は、前記撮像装置にて得られた撮影画像を表示可能な表示手段と、前記表示手段の表示内容を制御する表示制御手段と、を備え、前記表示制御手段は、前記撮像装置による前記特殊撮影に対応する画像を前記表示手段に表示させる際、前記複数のブラケット画像の中から択一的に代表画像を選び、前記特殊撮影に対応する表示領域に該代表画像を表示させることを特徴とする。
【００２３】
前記特殊撮影によって撮影画像枚数が増大するが、上記の如く画像生成装置を形成することにより、撮影済みの画像の確認容易化が図られる。
【００２４】
また例えば、上記画像再生装置において、前記表示領域に表示される前記代表画像は、前記複数のブラケット画像の中で、時間に応じて自動的に或いは外部からの切り換え指示に応じて切り換わる。
【発明の効果】
【００２５】
本発明の撮像装置によれば、手動操作によるタイムラグ等を生じさせることなく、撮影者の意図に近い画像を取得できる可能性が高まる。また本発明の画像再生装置によれば、撮影済みの画像の確認容易化が図られる。
【発明を実施するための最良の形態】
【００２６】
以下、本発明の実施の形態につき、図面を参照して具体的に説明する。参照される各図において、同一の部分には同一の符号を付し、同一の部分に関する重複する説明を原則として省略する。後に第１〜第３実施例を説明するが、まず、各実施例に共通する事項又は各実施例にて参照される事項について説明する。
【００２７】
図１は、本発明の実施の形態に係る撮像装置１の全体ブロック図である。撮像装置１は、静止画を撮影可能なデジタルスチルカメラ、又は、静止画及び動画を撮影可能なデジタルビデオカメラである。
【００２８】
撮像装置１は、撮像部１１と、ＡＦＥ（Analog Front End）１２と、制御部１３と、顔検出部１４と、表示部１５と、記録媒体１６と、操作部１７と、を備えている。
【００２９】
図２に撮像部１１の内部構成図を示す。撮像部１１にカラーフィルタなどを用いることにより、撮像装置１は、撮影によってカラー画像を生成可能なように構成されている。撮像部１１は、ズームレンズ３０及びフォーカスレンズ３１を含む複数枚のレンズを備えて構成される光学系３５と、絞り３２と、撮像素子３３と、ドライバ３４を有している。ズームレンズ３０及びフォーカスレンズ３１は光軸方向に移動可能である。
【００３０】
モータ等から成るドライバ３４は、制御部１３からの制御信号に基づいて、ズームレンズ３０及びフォーカスレンズ３１の移動を制御し、光学系３５のズーム倍率や焦点距離を制御する。また、ドライバ３４は、制御部１３からの制御信号に基づいて絞り３２の開度（開口部の大きさ）を制御する。
【００３１】
被写体からの入射光は、光学系３５を構成する各レンズ及び絞り３２を介して、撮像素子３３に入射する。光学系３５を構成する各レンズは、被写体の光学像を撮像素子３３上に結像させる。
【００３２】
撮像素子３３は、例えばＣＣＤ（Charge Coupled Devices）やＣＭＯＳ（Complementary Metal Oxide Semiconductor）イメージセンサからなる。撮像素子３３は、光学系３５及び絞り３２を介して入射した光学像を光電変換し、該光電変換によって得られた電気信号をＡＦＥ１２に出力する。より具体的には、撮像素子３３は、マトリクス状に二次元配列された複数の画素（受光画素；不図示）を備え、各撮影において、各画素は露光時間に応じた電荷量の信号電荷を蓄える。蓄えた信号電荷の電荷量に比例した大きさを有する各画素からの電気信号は、タイミングジェネレータ（不図示）からの駆動パルスに従って、後段のＡＦＥ１２に順次出力される。
【００３３】
ＡＦＥ１２は、撮像部１１（撮像素子３３）から出力されるアナログ信号を増幅し、増幅されたアナログ信号をデジタル信号に変換する。ＡＦＥ１２は、このデジタル信号を、順次、制御部１３に出力する。
【００３４】
制御部１３は、ＣＰＵ（Central Processing Unit）、ＲＯＭ（Read Only Memory）及びＲＡＭ（Random Access Memory）等を備え、映像信号処理部としても機能する。制御部１３は、ＡＦＥ１２の出力信号に基づいて、撮像部１１によって撮影された画像（以下、「撮影画像」ともいう）を表す映像信号を生成する。
【００３５】
制御部１３は、撮影画像中のフォーカス検出領域内のコントラスト量に応じたＡＦ評価値を検出するＡＦ評価値検出部２１を含む。図３は、このＡＦ評価値検出部２１の内部ブロック図である。ＡＦ評価値検出部２１は、抽出部４１、ＨＰＦ（ハイパスフィルタ）４２及び積算部４３を、有して構成される。
【００３６】
抽出部４１は、撮影画像を表す映像信号より輝度信号を抽出する。この際、撮影画像の、フォーカス検出領域内の輝度信号のみを抽出する。ＨＰＦ４２は、抽出部４１によって抽出された輝度信号中の所定の高域周波数成分のみを抽出する。
【００３７】
積算部４３は、ＨＰＦ４２によって抽出された高域周波数成分を積算することにより、フォーカス検出領域内の画像のコントラスト量に応じたＡＦ評価値を求める。ＡＦ評価値は、撮影画像ごとに算出される。ＡＦ評価値は、該コントラスト量に概ね比例し、該コントラスト量が増大するにつれて増大する。そして、フォーカスレンズ３１の位置が光軸方向に変化するに従い、画像のコントラスト量は変化し、ＡＦ評価値も変化する。
【００３８】
通常、制御部１３は、ＡＦ評価値が最大値(付近)に保たれるように所謂山登り演算を用いて、ドライバ３４を介してフォーカスレンズ３１の位置を制御する。この結果、同一の光学像に対する、フォーカス検出領域内の画像のコントラスト量は最大値（付近）に保たれる。つまり、フォーカス検出領域内に収まる被写体の光学像が撮像素子３３上に結像するように、フォーカスレンズ３１の位置は制御される（フォーカス検出領域内に収まる被写体にピントが合う）。
【００３９】
制御部１３は、更に、撮影画像の明るさに応じたＡＥ評価値を検出するＡＥ評価値検出部２２を含む。
【００４０】
ＡＥ評価値検出部２２は、撮影画像を表す映像信号より輝度信号を抽出する。この際、各撮影画像の、明るさ評価領域内の輝度信号のみを抽出する。ＡＥ評価値検出部２３は、抽出した明るさ評価領域内についての輝度信号を積算することにより、明るさ評価領域内の画像の明るさに比例したＡＥ評価値を求める。ＡＥ評価値は、撮影画像ごとに算出される。
【００４１】
通常、制御部１３は、逐次算出されるＡＥ評価値が一定値に保たれるように、ドライバ３４を介して絞り３２の開度を制御する。光学系３５に入射する光学像が同じである場合、絞り３２の開度が大きくなるに従って、撮像素子３３への単位時間当たりの入射光量は増大し、輝度信号の値は増大する。
【００４２】
図１の顔検出部１４は、各撮影画像の中から人物の顔を検出して、顔を含む顔領域を抽出する。顔検出部１４の検出結果を受け、制御部１３は、画像上における、顔の大きさや位置を認識する。画像中に含まれる顔を検出する手法として様々な手法が知られており、顔検出部１４は何れの手法をも採用可能である。例えば、特開２０００−１０５８１９号公報に記載の手法のように撮影画像から肌色領域を抽出することによって顔（顔領域）を検出しても良いし、特開２００６−２１１１３９号公報、特開２００６−７２７７０号公報又は上記特許文献１に記載の手法を用いて顔（顔領域）を検出しても良い。
【００４３】
典型的には例えば、入力画像（即ち、撮影画像）内に設定された着目領域の画像と所定の画像サイズを有する基準顔画像とを対比して両画像の類似度を判定し、その類似度に基づいて着目領域に顔が含まれているか否か（着目領域が顔領域であるか否か）を検出する。類似判定は、顔であるか否かを識別するのに有効な特徴量を抽出することによって行う。特徴量は、水平エッジ、垂直エッジ、右斜めエッジ、左斜めエッジ等である。
【００４４】
入力画像において着目領域は一画素ずつ左右方向又は上下方向にずらされる。そして、ずらされた後の着目領域の画像と基準顔画像とが対比されて、再度、両画像の類似度が判定され、同様の検出が行われる。このように、着目領域は、例えば入力画像の左上から右下方向に向けて１画素ずつずらされながら、更新設定される。
【００４５】
また、入力画像（即ち、撮影画像）を一定割合で縮小し、縮小後の画像に対して、同様の顔検出処理を行う。このような処理を繰り返すことにより、入力画像中から任意の大きさの顔を検出することができる。
【００４６】
図１の表示部１５は、液晶ディスプレイパネル等から成る表示装置であり、直前のフレームにて撮影された画像や記録媒体１６に記録されている画像などを表示する。制御部１３は、表示部１５の表示内容を制御する。記録媒体１６は、ＳＤ（Secure Digital）メモリカード等の不揮発性メモリであり、制御部１３による制御の下、撮影画像などを記憶する。操作部１７は、シャッタボタン１７ａ及び所謂十字キー（不図示）等から成り、外部からの操作を受け付ける。操作部１７に対する操作内容は、制御部１３に伝達される。
【００４７】
撮像装置１の動作モードには、静止画（及び動画）の撮影が可能な撮影モードと、記録媒体１６に記録された静止画（及び動画）を表示部１５に再生表示する再生モードと、が含まれる。操作部１７に対する操作に応じて、各モード間の遷移は実施される。撮影モードでは、シャッタボタン１７ａが押下されているか否かに拘らず、所定のフレーム周期（例えば、１／６０秒）にて順次撮影が行われ、順次得られる撮影画像は表示部１５に更新表示される（所謂プレビュー表示が行われる）。
【００４８】
そして、操作部１７に対して所定の操作を施すことにより、撮影モードにおいて、ブラケット撮影（特殊撮影）を行うことが可能となっている。説明の便宜上、このブラケット撮影を実行する撮影モードをブラケット撮影モードという。ブラケット撮影モードは、撮影モードに含まれる１つの動作モードである。
【００４９】
以下、ブラケット撮影モードに着目した実施例として、第１〜第３実施例を例示する。或る実施例に記載した事項は、矛盾なき限り、他の実施例にも適用可能である。
【００５０】
＜＜第１実施例＞＞
まず、第１実施例について説明する。ブラケット撮影モードでは、顔検出部１４による顔検出機能が利用される。具体的な例として、第１実施例では、撮影領域内に３つの顔が含まれている場合の動作を説明する。図４は、この３つの顔を被写体として含んだ撮影画像を表している。これら３つの顔を、夫々、顔Ｆ１、Ｆ２及びＦ３と呼ぶことにする。尚、図４及び顔の図示を含む後述の各図において、図示の煩雑化防止のため、顔以外の人体の構成要素（胴体や手足など）の図示を省略している。
【００５１】
図４に示すような撮影画像が顔検出部１４に入力されると、顔検出部１４は、その撮影画像の中から顔Ｆ１、Ｆ２及びＦ３を検出して、顔Ｆ１を含む顔領域ＲF1、顔Ｆ２を含む顔領域ＲF2及び顔Ｆ３を含む顔領域ＲF3を抽出する。各顔領域の外形形状は、検出された顔の外形形状と一致する。各顔領域を、顔を囲む最小の矩形領域として定義しても良い。
【００５２】
制御部１３（又は顔検出部１４）は、画像上における顔領域ＲF1、ＲF2及びＲF3の大きさ（即ち、画像上における顔Ｆ１、Ｆ２及びＦ３の大きさ）を算出する。画像上における顔領域の大きさは、該顔領域の面積或いは該顔領域を構成する画素数で表される。今の例の場合、顔領域ＲF1、ＲF2及びＲF3の内、顔領域ＲF1の大きさが最も大きいものとする（換言すれば、顔Ｆ１、Ｆ２及びＦ３の内、顔Ｆ３の大きさが最も大きいものとする）。
【００５３】
そして、制御部１３は、顔領域ＲF1、ＲF2及びＲF3の位置関係を評価し、画像上において、最も中央に近い顔領域ＲF1、ＲF2及びＲF3を特定する。例えば、図５に示す如く、顔領域ＲF1、ＲF2及びＲF3の中心位置ＣF1、ＣF2及びＣF3を算出する。図５において、ＣOは、撮影画像全体の中央点を表している。画像上において、各中心位置は、画像の原点Ｘを基準とした、水平座標と垂直座標によって表される。制御部１３は、中心位置ＣF1、ＣF2及びＣF3と中央点ＣOとの各距離を算出して、各距離同士を比較し、最も距離が短い中心位置に対応する顔領域を、最も中央に近い顔領域として特定する。今の例の場合、顔Ｆ２についての中心位置ＣF2が中央点ＣOに最も近いため、顔領域ＲF2が最も中央に近い顔領域として特定される。
【００５４】
［撮影パラメータ生成］
図４及び図５に示す撮影画像が得られた場合、パラメータ生成手段としても機能する制御部１３は、４つの撮影パラメータを生成する。各撮影パラメータは、ブラケット撮影における撮影条件を表しており、具体的には、図２のフォーカスレンズ３１の位置と絞り３２の開度を定める。この４つの撮影パラメータを、第１、第２、第３及び第４の撮影パラメータと呼ぶ。
【００５５】
第１の撮影パラメータは、顔Ｆ１〜Ｆ３の内、最も中央に位置する顔Ｆ２の撮影に適した撮影パラメータ（中央優先パラメータ）とされる。第１の撮影パラメータの作成に際して、図６（ａ）に示す如く、画像上に顔Ｆ２に着目した領域１０２が定義される。領域１０２は、例えば、顔領域ＲF2そのもの、或いは、顔領域ＲF2を含む矩形領域、或いは、顔領域ＲF2に内包される矩形領域（顔Ｆ２の一部を含む矩形領域）である。図６（ａ）は、領域１０２が顔領域ＲF2を含む矩形領域である場合を例示している（後述する領域１０１及び１０３も同様）。
【００５６】
制御部１３は、領域１０２をフォーカス検出領域として取り扱って算出されたＡＦ評価値に基づき、そのＡＦ評価値が最大となるような、即ち、領域１０２に収まる被写体についての光学像が撮像素子３３上で結像するような、フォーカスレンズ３１の位置を算出する。領域１０２に着目して算出された、このフォーカスレンズ３１の位置を、位置Ｐ1という。位置Ｐ1は、第１の撮影パラメータに含められる。
【００５７】
また、制御部１３は、領域１０２を明るさ評価領域として取り扱って算出されたＡＥ評価値に基づき、そのＡＥ評価値が所定値となるような、即ち、領域１０２内の画像の明るさが所定の明るさとなるような、絞り３２の開度を算出する。領域１０２に着目して算出された、この絞り３２の開度を、開度Ｏ1という。開度Ｏ1は、第１の撮影パラメータに含められる。
【００５８】
第２の撮影パラメータは、顔Ｆ１〜Ｆ３の内、最も大きさが大きい顔Ｆ１の撮影に適した撮影パラメータ（サイズ優先パラメータ）とされる。第２の撮影パラメータの作成に際して、図６（ｂ）に示す如く、画像上に顔Ｆ１に着目した領域１０１が定義される。領域１０１は、例えば、顔領域ＲF1そのもの、或いは、顔領域ＲF1を含む矩形領域、或いは、顔領域ＲF1に内包される矩形領域（顔Ｆ１の一部を含む矩形領域）である。
【００５９】
制御部１３は、領域１０１をフォーカス検出領域として取り扱って算出されたＡＦ評価値に基づき、そのＡＦ評価値が最大となるような、即ち、領域１０１に収まる被写体についての光学像が撮像素子３３上で結像するような、フォーカスレンズ３１の位置（これを、位置Ｐ2という）を算出する。
【００６０】
また、制御部１３は、領域１０１を明るさ評価領域として取り扱って算出されたＡＥ評価値に基づき、そのＡＥ評価値が所定値となるような、即ち、領域１０１内の画像の明るさが所定の明るさとなるような、絞り３２の開度（これを、開度Ｏ2という）を算出する。位置Ｐ2及び開度Ｏ2は、第２の撮影パラメータに含められる。
【００６１】
第３の撮影パラメータは、顔Ｆ１〜Ｆ３を均等に取り扱った撮影パラメータ（全顔平均パラメータ）とされる。第３の撮影パラメータの作成に際して、図６（ｃ）に示す如く、領域１０１及び１０２に加えて、画像上に顔Ｆ３に着目した領域１０３が定義される。領域１０３は、例えば、顔領域ＲF3そのもの、或いは、顔領域ＲF3を含む矩形領域、或いは、顔領域ＲF3に内包される矩形領域（顔Ｆ３の一部を含む矩形領域）である。
【００６２】
制御部１３は、領域１０１、１０２及び１０３の合計領域をフォーカス検出領域として取り扱って算出されたＡＦ評価値に基づき、そのＡＦ評価値が最大となるような、即ち、領域１０１、１０２及び１０３に収まる被写体についての光学像が平均的に撮像素子３３上で結像するような、フォーカスレンズ３１の位置（これを、位置Ｐ3という）を算出する。領域１０１、１０２及び１０３の合計領域をフォーカス検出領域としているため、顔Ｆ１、Ｆ２及びＦ３についての結像点は撮像素子３３上にない場合もある。
【００６３】
また、制御部１３は、領域１０１、１０２及び１０３の合計領域を明るさ評価領域として取り扱って算出されたＡＥ評価値に基づき、そのＡＥ評価値が所定値となるような、即ち、領域１０１、１０２及び１０３の合計領域内の画像の明るさ（平均的明るさ）が所定の明るさとなるような、絞り３２の開度（これを、開度Ｏ3という）を算出する。位置Ｐ3及び開度Ｏ3は、第３の撮影パラメータに含められる。
【００６４】
第４の撮影パラメータは、撮影領域全体を平均的に着目した撮影パラメータ（全体平均パラメータ）とされる。第４の撮影パラメータの作成に際して、図６（ｄ）に示す如く、領域１０４が定義される。領域１０４は、例えば、撮影画像の全体領域、或いは、撮影画像の全体領域よりも若干小さい矩形領域とされる。領域１０４を定義するに際して、顔検出の結果は利用されない。
【００６５】
制御部１３は、領域１０４をフォーカス検出領域として取り扱って算出されたＡＦ評価値に基づき、そのＡＦ評価値が最大となるような、即ち、領域１０４に収まる被写体についての光学像が平均的に撮像素子３３上で結像するような、フォーカスレンズ３１の位置（これを、位置Ｐ4という）を算出する。
【００６６】
また、制御部１３は、領域１０４を明るさ評価領域として取り扱って算出されたＡＥ評価値に基づき、そのＡＥ評価値が所定値となるような、即ち、領域１０４内の画像の明るさ（平均的明るさ）が所定の明るさとなるような、絞り３２の開度（これを、開度Ｏ4という）を算出する。位置Ｐ4及び開度Ｏ4は、第４の撮影パラメータに含められる。
【００６７】
［撮影パラメータに基づくブラケット撮影］
ブラケット撮影モードにおいて、シャッタボタン１７ａを押下することにより、制御部１３は、第１、第２、第３及び第４の撮影パラメータを適用してフォーカスレンズ３１の位置及び絞り３２の開度を制御しつつブラケット撮影を行い、これによって撮像部１１から４枚の撮影画像（静止画）得る。この４枚の撮影画像を、第１、第２、第３及び第４のブラケット画像と呼ぶ。第１〜第４のブラケット画像は、連続的に撮影される（即ち、連続撮影される）。第１、第２、第３及び第４のブラケット画像は、夫々、第１、第２、第３及び第４の撮影パラメータに対応する。
【００６８】
つまり、第１のブラケット画像は、フォーカスレンズ３１の位置を位置Ｐ1とし且つ絞り３２の開度を開度Ｏ1とした上で撮影された画像であり、第２のブラケット画像は、フォーカスレンズ３１の位置を位置Ｐ2とし且つ絞り３２の開度を開度Ｏ2とした上で撮影された画像であり、第３のブラケット画像は、フォーカスレンズ３１の位置を位置Ｐ3とし且つ絞り３２の開度を開度Ｏ3とした上で撮影された画像であり、第４のブラケット画像は、フォーカスレンズ３１の位置を位置Ｐ4とし且つ絞り３２の開度を開度Ｏ4とした上で撮影された画像である。
【００６９】
第１〜第４の撮影パラメータの適用順序（換言すれば、第１〜第４のブラケット画像の撮影順序）の決定手法については後述するとして、今、第１、第２、第３及び第４の撮影パラメータの順番で撮影パラメータを適用することにより、第１、第２、第３、第４のブラケット画像の順番で撮影が行われたものとする。
【００７０】
図７は、第１〜第４のブラケット画像が撮影された後の、表示部１５の表示画面を表す。表示画面の全表示領域には、互いに異なる表示領域１１１、１１２、１１３及び１１４が含まれ、表示領域１１１、１１２、１１３及び１１４に、夫々、第１、第２、第３、第４のブラケット画像を表示される。図７に示す如く、第１〜第４のブラケット画像は、同一の表示画面上に並べられて同時表示される（即ち、一覧表示される）。撮影者は、この一覧表示を視ることによって、容易に各ブラケット画像を確認することができる。
【００７１】
尚、図７（及び後述する図８）の各画像では、図６の領域１０１〜１０４の外形を表す四角枠が示されているが、表示画面上において、それらの四角枠を表示するか否かは任意である。また、第１、第２、第３、第４のブラケット画像を、顔の写り具合が良い順に並べて表示画面上に表示しても良い。例えば、各ブラケット画像から人物の目の領域を抽出して画像解析により目の開閉状態を検出する。そして、目が閉じている顔に対応するブラケット画像は、顔の映り具合が比較的悪く、目が開いている顔に対応するブラケット画像は、顔の映り具合が比較的良いと判断する。
【００７２】
ユーザは、操作部１７を用い、第１〜第４のブラケット画像を好みの順番で選択していくことで（即ち、第１〜第４のブラケット画像に対して順序付けを施すことで）、表示画面上における各ブラケット画像の表示位置を変更することができる。例えば、操作部１７に対して所定の操作を施すことにより、第２、第３、第１、第４のブラケット画像の順番で各ブラケット画像を選択したとする。この選択によって、図８に示す如く、表示領域１１１、１１２、１１３及び１１４に、夫々、第２、第３、第１、第４のブラケット画像が表示されるようになる。
【００７３】
また、第１〜第４のブラケット画像は、撮影と同時に、記録媒体１６にファイル名を付けて記憶されていくのであるが、上記の選択によって、該ファイル名は変更可能である。つまり例えば、第１、第２、第３、第４のブラケット画像は、当初、夫々、ｉｍａｇｅ００１＿０１、ｉｍａｇｅ００１＿０２、ｉｍａｇｅ００１＿０３、ｉｍａｇｅ００１＿０４というファイル名が付された上で記録媒体１６に記録されるのであるが、第２、第３、第１、第４のブラケット画像の順番で各ブラケット画像を選択することによって、第１のブラケット画像に対応するファイル名はｉｍａｇｅ００１＿０３に、第２のブラケット画像に対応するファイル名はｉｍａｇｅ００１＿０１に、第３のブラケット画像に対応するファイル名はｉｍａｇｅ００１＿０２に変更される。
【００７４】
このように、操作部１７は、４枚のブラケット画像を順序付けるための順序付け指示を受け付け、制御部１３は、この順序付け指示に従って、一覧表示における各ブラケット画像の表示位置（表示順序）及び各ブラケット画像に対応するファイル名を変更する。ユーザの好み順に応じてファイル名を付すことによって、ファイル管理上の便宜が図られる。順序付け指示は、上述の如く例えば、第１〜第４のブラケット画像を順番に選択するという、操作部１７に対する操作によって実現される。
【００７５】
また、上記の順序付け指示によって、各撮影パラメータ間の順序付けを実行することもできる。例えば、第２、第３、第１、第４のブラケット画像の順番で各ブラケット画像を選択することにより、第２、第３、第１、第４のブラケット画像の順番で順序付けがなされた場合を考える。この場合、これに合わせて各撮影パラメータ間を順序付け、この各撮影パラメータ間の順序付けを、次回以降のブラケット撮影に際して利用する。
【００７６】
例えば、次回以降のブラケット撮影に際して、図４と同様、撮影領域内に３つの顔が存在している場合は、
「３つの顔の内、最も大きさが大きい顔の撮影に適した撮影パラメータ（上記の第２の撮影パラメータに相当）」を適用した撮影を最初に行い、
「３つの顔を均等に取り扱った撮影パラメータ（上記の第３の撮影パラメータに相当）」を適用した撮影を２番目に行い、
「３つの顔の内、最も中央に位置する顔の撮影に適した撮影パラメータ（上記の第１の撮影パラメータに相当）」を適用した撮影を３番目に行い、
「撮影領域全体を平均的に着目した撮影パラメータ（上記の第４の撮影パラメータに相当）」を適用した撮影を最後に行うようにする。
【００７７】
このように、今回のブラケット撮影に対する順序付け指示によって、次回以降のブラケット撮影における、各撮影パラメータの適用順序（換言すれば、各ブラケット画像の撮影順序）を定めるようにする。順序付け指示は、ユーザの、撮影パラメータ（撮影条件）の好みの順番を表すものと推測される。このため、上記の如くブラケット画像の撮影順序を定めることにより、次回以降のブラケット撮影において、ユーザがより好む撮影パラメータによるブラケット画像がシャッタボタン１７ａ押下直後により近いタイミングで撮影されるようになる。つまり、ユーザの意図により合致した順序で撮影が行われるようになる。尚、上記の撮影順序を決定するために必要な情報（順序付け指示の内容など）は、適宜、記録媒体１６に記録される。
【００７８】
また、各撮影パラメータの適用順序を、上記の順序付け指示に基づくのではなく、ブラケット撮影期間における、フォーカスレンズ３１の位置の変化方向の同一性及び／又は絞り３２の開度の変化方向の同一性に基づいて、決定するようにしてもよい。
【００７９】
例えば、上述の第１〜第４の撮影パラメータを生成した後、フォーカスレンズ３１の位置を表す位置Ｐ1〜Ｐ4を参照し、第１〜第４のブラケット画像を連続撮影する間におけるフォーカスレンズ３１の位置の変化方向が同一方向になるように、第１〜第４の撮影パラメータの適用順序を決定する。例えば、位置Ｐ1、Ｐ2、Ｐ3及びＰ4の順番でフォーカスレンズ３１の位置が撮像素子３３に近くなる場合、第１、第２、第３及び第４の撮影パラメータをこの順番で適用して各ブラケット画像を撮影する（これにより、第１、第２、第３及び第４のブラケット画像がこの順番で撮影される）。勿論、この逆の順番で撮影することも可能である。
【００８０】
また例えば、上述の第１〜第４の撮影パラメータを生成した後、絞り３２の開度を表す開度Ｏ1〜Ｏ4を参照し、第１〜第４のブラケット画像を連続撮影する間における絞り３２の開度の変化方向が同一方向になるように、第１〜第４の撮影パラメータの適用順序を決定する。例えば、開度Ｏ1、Ｏ2、Ｏ3及びＯ4の順番で絞り３２の開度が小さくなる場合、第１、第２、第３及び第４の撮影パラメータをこの順番で適用して各ブラケット画像を撮影する（これにより、第１、第２、第３及び第４のブラケット画像がこの順番で撮影される）。勿論、この逆の順番で撮影することも可能である。
【００８１】
このように各撮影パラメータの適用順序を定めることによりフォーカスレンズ３１や絞り３２の動きが連続的になるため、各ブラケット画像を得るための連続撮影時間が短縮され、被写体或いは撮影者にとってより望ましいタイミングで撮影を行うことが可能となる。
【００８２】
［ブラケット撮影の動作手順］
次に、図９を参照して、ブラケット撮影の動作手順を説明する。図９は、ブラケット撮影の動作手順を表すフローチャートである。この動作手順の説明の際、説明の具体化のため、上述した例示内容（撮影領域に３つの顔Ｆ１〜Ｆ３が含まれている等の例示内容）を適宜引用する。
【００８３】
まず、ステップＳ１において、顔検出部１４に撮影画像が与えられ、続くステップＳ２において、顔検出部１４は該撮影画像から顔を検出して顔領域を抽出する。そして、ステップＳ３において、制御部１３は、ステップＳ２の顔検出結果に基づいて複数の撮影パラメータを算出する。具体的には例えば、上述の第１〜第４の撮影パラメータが算出される。続くステップＳ４では、ステップＳ２及びＳ３の処理結果を参照しつつ、上述の如く過去のブラケット撮影に対する順序付け指示などに基づいて、各撮影パラメータの適用順序を設定する。ステップＳ４の処理を終えるとステップＳ５に移行する。
【００８４】
ステップＳ１〜Ｓ４の処理は、例えば、シャッタボタン１７ａを半押しした後に、実施される。シャッタボタン１７ａは、外力に応じて２段階に押下される。シャッタボタン１７ａに対する、比較的小さな外力によって半押しが実施され、比較的大きな外力によって全押しが実施される。
【００８５】
ステップＳ５において、制御部１３は、シャッタボタン１７ａが押下されたか否かを確認する。より具体的には、シャッタボタン１７ａが全押しされたか否かを確認する。ここにおけるシャッタボタン１７ａの全押しは、１つのブラケット撮影の実施を指示する。シャッタボタン１７ａの全押しが行われた場合はステップＳ６に移行し、行われていない場合はステップＳ５の処理が繰り返される。
【００８６】
ステップＳ６では、ステップＳ３にて算出された各撮影パラメータ及びステップＳ４にて設定された適用順序に従って、各ブラケット画像を順次撮影する。図４に示す例の場合、４枚のブラケット画像を順次撮影する。撮影された各ブラケット画像は、ファイル名を付されて記録媒体１６に記録される。
【００８７】
各ブラケット画像の撮影が完了すると、ステップＳ７において、制御部１３は表示部１５に各ブラケット画像を一覧表示させる。これにより、表示部１５の表示画面は、図７に示すような表示画面となる。
【００８８】
ステップＳ７に続くステップＳ８において、撮像装置１は、ユーザによる上記順序付け指示を受け付ける状態に移行する。この際、ユーザは、表示画面上に表示された各ブラケット画像を自分の好みの順番で選択することにより、各ブラケット画像に対する順序付けを行う。順序付け指示を受けると、ステップＳ９に移行する。
【００８９】
ステップＳ９では、ステップＳ８にて与えられた順序付け指示の内容に従い、必要に応じて、表示画面上における各ブラケット画像を並べ替えると共に各ブラケット画像に付されたファイル名を変更する。
【００９０】
続くステップＳ１０において、制御部１３は、ステップＳ８にて与えられた順序付け指示の内容を記録媒体１６に記録する。この記録内容は、次回以降のブラケット撮影における各撮影パラメータの適用順序の設定に利用される。ステップＳ１０の処理を終えると、今回のブラケット撮影は終了し、次回のブラケット撮影の指示を受け付ける状態に移行する。
【００９１】
［画像の表示］
次に、再生モードにおける特徴的な動作について説明する。再生モードには、複数の画像を一覧表示するサムネイル画像再生モードと、１枚の画像のみを表示する通常再生モードと、が含まれる。操作部１７に対する操作に応じて各モード間の遷移は実施される。サムネイル画像再生モードにおける表示制御について説明する。
【００９２】
サムネイル画像再生モードでは、記録媒体１６に記録されている複数の画像が表示部１５に一覧表示される。一覧表示される各画像は、記録媒体１６に記録されている各画像（即ち、各撮影画像）の縮小画像に相当する所謂サムネイル画像である。但し、或る着目画像に関し、該着目画像と該着目画像のサムネイル画像は、画像サイズが異なるだけで本質的には同じ画像である。このため、記述の簡略化上、本明細書では「着目画像の縮小画像（サムネイル画像）を表示する」場合でも、「着目画像を表示する」と表現する。
【００９３】
サムネイル画像再生モードでは、表示部１５の表示画面における全表示領域が、例えば６つの分割表示領域に分割される。図１０は、全表示領域が、６つの分割表示領域１２１〜１２６に分割されている様子を示している。
【００９４】
サムネイル画像再生モードにおいて一覧表示される画像の中に、ブラケット撮影に対応する画像が含まれる場合、制御部１３は、複数のブラケット画像の中から１枚のブラケット画像を代表画像として選択して、該代表画像を該ブラケット撮影に対応する分割表示領域に表示させる。
【００９５】
例えば、記録媒体１６に、５回の通常撮影に基づく５枚の画像と１回のブラケット撮影に基づく４枚のブラケット画像（第１〜第４のブラケット画像）が記録されている場合を考える。ここで、通常撮影とは、シャッタボタン１７ａに対する１回の押下に応じて１枚の撮影画像を記録媒体１６に記録する撮影を指す。この場合、例えば、図１１に示す如く、分割表示領域１２１、１２３〜１２６の夫々に通常撮影に対する撮影画像（より詳しくは、該撮影画像の縮小画像）を表示させ、分割表示領域１２２に上記代表画像（より詳しくは、該代表画像の縮小画像）を表示させる。これにより、一連のブラケット画像を保存しつつ、撮影済みの画像の確認容易化が図られる。
【００９６】
代表画像は、例えば、上記の順序付け指示の内容に従って定められる。即ち例えば、図９のステップＳ８において、第２、第３、第１、第４のブラケット画像の順番で順序付けがなされた場合、第２のブラケット画像が代表画像とされる。
【００９７】
また、一定時間間隔をおいて、第１〜第４のブラケット画像の中で、代表画像を自動的に変更するようにしてもよい。即ち例えば、図９のステップＳ８において、第２、第３、第１、第４のブラケット画像の順番で順序付けがなされた場合、最初は、第２のブラケット画像を代表画像として分割表示領域１２２に表示し、一定時間経過後、第３のブラケット画像を代表画像として分割表示領域１２２に更新表示する。以後、一定時間が経過する度に、分割表示領域１２２に更新表示されるべき代表画像を、第１のブラケット画像、第４のブラケット画像へと変更し、第４のブラケット画像の次は第２のブラケット画像に戻るようにする。
【００９８】
また、時間に応じて自動的に代表画像を変更するのではなく、操作部１７に対する、代表画像の切り換えを指示する操作（切り換え指示）に応じて、分割表示領域１２２に表示されるべき代表画像を順次切り換えてもよい。
【００９９】
また、表示画面における全表示領域内に１枚の画像のみを再生表示する通常再生モードにおいても、サムネイル画像再生モードと同様に処理することが可能である。即ち例えば、図９のステップＳ８において、第２、第３、第１、第４のブラケット画像の順番で順序付けがなされた場合、通常再生モードにおいて、第２のブラケット画像を代表画像として表示する。その後、サムネイル画像再生モードと同様、時間経過に応じて或いは操作部１７に対する操作に応じて、再生表示する画像を第３、第１、第４のブラケット画像の順番で変更していく。
【０１００】
また、４枚のブラケット画像の内の何れを代表画像とするかを、予め定めておいてもよい（これは、サムネイル画像再生モードと通常再生モードにおいて共通する）。例えば、４枚のブラケット画像の内、最初に撮影されたブラケット画像を代表画像として定めるようにしてもよい。
【０１０１】
＜＜第２実施例＞＞
撮影領域内に３つの顔が含まれている場合を想定して第１実施例を説明したが、撮影領域内に含まれる顔の個数が幾つであっても本発明は有効に機能する。例えば、撮影領域内に含まれる顔の個数が１である場合を、第２実施例として説明する。撮影領域内に含まれる顔が、図１２に示す如く、顔Ｆ１であるとする。
【０１０２】
この場合、第１実施例と同様、顔検出部１４は、その撮影画像の中から顔Ｆ１を検出して、顔Ｆ１を含む顔領域ＲF1を抽出する。そして、この撮影画像に対し、制御部１３は、２つの撮影パラメータを生成する。この２つの撮影パラメータを、撮影パラメータＰＲA1、ＰＲA2と呼ぶことにする。
【０１０３】
撮影パラメータＰＲA1は、顔Ｆ１の撮影に適した撮影パラメータ（顔優先パラメータ）とされる。撮影パラメータＰＲA1の作成に際して、図１３（ａ）に示す如く、画像上に顔Ｆ１に着目した領域１０１が定義される。
【０１０４】
制御部１３は、領域１０１をフォーカス検出領域として取り扱って算出されたＡＦ評価値に基づき、そのＡＦ評価値が最大となるような、即ち、領域１０１に収まる被写体についての光学像が撮像素子３３上で結像するような、フォーカスレンズ３１の位置（これを、位置ＰA1という）を算出する。また、制御部１３は、領域１０１を明るさ評価領域として取り扱って算出されたＡＥ評価値に基づき、そのＡＥ評価値が所定値となるような、即ち、領域１０１内の画像の明るさが所定の明るさとなるような、絞り３２の開度（これを、開度ＯA1という）を算出する。位置ＰA1及び開度ＯA1は、撮影パラメータＰＲA1に含められる。
【０１０５】
撮影パラメータＰＲA2は、第１実施例における第４の撮影パラメータと同様の処理にて算出される。撮影パラメータＰＲA2は、撮影領域全体を平均的に着目した撮影パラメータ（全体平均パラメータ）とされる。撮影パラメータＰＲA2の作成に際して、図１３（ｂ）に示す如く、領域１０４が定義される。
【０１０６】
制御部１３は、領域１０４をフォーカス検出領域として取り扱って算出されたＡＦ評価値に基づき、そのＡＦ評価値が最大となるような、即ち、領域１０４に収まる被写体についての光学像が平均的に撮像素子３３上で結像するような、フォーカスレンズ３１の位置（これを、位置ＰA2という）を算出する。また、制御部１３は、領域１０４を明るさ評価領域として取り扱って算出されたＡＥ評価値に基づき、そのＡＥ評価値が所定値となるような、即ち、領域１０４内の画像の明るさ（平均的明るさ）が所定の明るさとなるような、絞り３２の開度（これを、開度ＯA2という）を算出する。位置ＰA2及び開度ＯA2は、撮影パラメータＰＲA2に含められる。
【０１０７】
ブラケット撮影の指示がなされた際は、撮影パラメータＰＲA1に従うブラケット画像と撮影パラメータＰＲA2に従うブラケット画像とが連続撮影される。
【０１０８】
＜＜第３実施例＞＞
また例えば、撮影領域内に含まれる顔の個数が２である場合を、第３実施例として説明する。撮影領域内に含まれる顔が、図１４に示す如く、顔Ｆ１と顔Ｆ２であるとする。
【０１０９】
この場合、第１実施例と同様、顔検出部１４は、その撮影画像の中から顔Ｆ１及びＦ２を検出して、顔Ｆ１を含む顔領域ＲF1と顔Ｆ２を含む顔領域ＲF2を抽出する。そして、この撮影画像に対し、制御部１３は、４つの撮影パラメータを生成する。この４つの撮影パラメータを、撮影パラメータＰＲB1、ＰＲB2、ＰＲB3及びＰＲB4と呼ぶことにする。
【０１１０】
図４にて示される、第１実施例で想定した撮影対象と、図１４にて示される、第３実施例で想定した撮影対象との比較において、説明の簡略化上、前者における顔Ｆ３を単に削除したものが後者に相当し、それ以外の点において両者が一致するものとする。
【０１１１】
そうすると、撮影パラメータＰＲB1の算出の際、図６（ａ）と同様、図１５（ａ）に示す如く画像上に顔Ｆ２に着目した領域１０２が定義され、撮影パラメータＰＲB1は、第１実施例に係る第１の撮影パラメータと同様のものとなる。撮影パラメータＰＲB2の算出の際、図６（ｂ）と同様、図１５（ｂ）に示す如く画像上に顔Ｆ１に着目した領域１０１が定義され、撮影パラメータＰＲB2は、第１実施例に係る第２の撮影パラメータと同様のものとなる。
【０１１２】
撮影パラメータＰＲB3の算出の際、図１５（ｃ）に示す如く領域１０１及び１０２が定義される。撮影パラメータＰＲB3は、第１実施例に係る第３の撮影パラメータと同様の手法にて算出されるが、第３の撮影パラメータと異なり領域１０３が定義されないため（図６（ｃ）参照）、領域１０１及び１０２の合計領域が、撮影パラメータを算出するためのフォーカス検出領域と明るさ評価領域として取り扱われる。
【０１１３】
撮影パラメータＰＲB4の算出の際、図６（ｄ）と同様、図１５（ｄ）に示す如く領域１０４が定義され、撮影パラメータＰＲB4は、第１実施例に係る第４の撮影パラメータと同様の手法にて算出される。
【０１１４】
ブラケット撮影の指示がなされた際は、撮影パラメータＰＲB1、ＰＲB2、ＰＲB3及びＰＲB4に従う各ブラケット画像（合計４枚のブラケット画像）が連続撮影される。
【０１１５】
図６と図１５を参照した説明から理解されるように、撮影画像に含まれる顔が複数である場合は、
複数の顔の内、最も中央に位置する顔に着目した撮影パラメータ（ＰＲB1等）と、
最も大きさが大きい顔に着目した撮影パラメータ（ＰＲB2等）と、
複数の顔の全てに着目した撮影パラメータ（ＰＲB3等）と、
背景をも含む所定領域全体に着目した撮影パラメータ（ＰＲB4等）と、
が生成される。撮影画像に含まれる顔が４以上であっても上述と同様の手法によって複数の撮影パラメータが生成され、ブラケット撮影の実行指示に従って複数の撮影パラメータによる複数のブラケット画像が連続撮影される。
【０１１６】
＜＜変形等＞＞
上述の実施形態の変形例または注釈事項として、以下に、注釈１〜注釈５を記す。各注釈に記載した内容は、矛盾なき限り、任意に組み合わせることが可能である。
【０１１７】
［注釈１］
上述の実施形態では、撮影画像の映像信号に基づいてフォーカスレンズ３１の位置を制御するようにしているが、フォーカス検出領域内の被写体と撮像装置１との間の距離を測定する測距センサ（不図示）を撮像装置１に搭載し、該測距センサの測定結果に基づいてフォーカスレンズ３１の位置を制御するようにしてもよい。
【０１１８】
この場合、各撮影パラメータは、測距センサの測定結果を参照して算出される。例えば、第１実施例の図６（ａ）に対応する位置Ｐ1を算出する際は、測距センサの測定結果に基づいて、領域１０２に収まる被写体についての光学像が撮像素子３３上で結像するようなフォーカスレンズ３１の位置を算出し、この位置を位置Ｐ1とすればよい。
【０１１９】
［注釈２］
上述の実施形態では、撮影画像の中から顔を検出し、その顔についての情報に基づいて各撮影パラメータを算出するようにしているが、撮影画像の中から検出される物体は顔以外であってもよい。例えば、検出される物体は、顔を含む、人物の上半身や人物の全身であってもよい。
【０１２０】
撮影画像の中から人物の上半身や人物の全身を検出する手法として様々な手法が知られており、本発明は、何れの手法をも採用可能である。人物の上半身や人物の全身を、顔検出を利用し、顔を基準として検出するようにしてもよいし、撮影画像中の物体の輪郭（人物のシルエット）から検出するようにしてもよい。
【０１２１】
［注釈３］
また、上述した説明文中に示した具体的な数値は、単なる例示であって、当然の如く、それらを様々な数値に変更することができる。
【０１２２】
［注釈４］
また、図１の撮像装置１は、ハードウェア、或いは、ハードウェアとソフトウェアの組み合わせによって実現可能である。特に、上記ブラケット撮影を行うために必要な演算処理は、ソフトウェア、またはハードウェアとソフトウェアの組み合わせによって実現可能である。
【０１２３】
ソフトウェアを用いて撮像装置１を構成する場合、ソフトウェアにて実現される部位についてのブロック図は、その部位の機能ブロック図を表すことになる。また、上記ブラケット撮影を行うために必要な演算処理の全部または一部を、プログラムとして記述し、該プログラムをプログラム実行装置（例えばコンピュータ）上で実行することによって、その演算処理の全部または一部を実現するようにしてもよい。
【０１２４】
［注釈５］
図１の顔検出部１４は、撮影画像の中から所定種類の物体を検出する物体検出手段として機能する。顔検出部１４は、所定種類の物体として人物の顔を検出する。上述したように、物体検出手段によって検出される所定種類の物体は、顔以外であってもよく、人物の上半身や人物の全身であってもよい。
【０１２５】
上述の実施形態において、各撮影パラメータを生成するパラメータ生成手段、及び、各ブラケット画像に付されるファイル名を変更するファイル名変更手段は、図１の制御部１３によって実現される。上述の実施形態において、上述の順序付け指示を受け付ける指示受付手段は、図１の操作部１７によって実現される。
【０１２６】
また、上述の実施形態において、制御部１３と表示部１５とから成る部位は、画像再生装置としても機能する。この画像再生装置に、記録媒体１６及び／又は操作部１７が含まれていると考えることもできる。
【０１２７】
また、撮像装置１の構成要素によって形成される上記画像再生装置の機能を、同等の機能を備えた他の機器（例えばコンピュータ）にて実現することも可能である。この場合、この他の機器が、画像再生装置として機能する。
【図面の簡単な説明】
【０１２８】
【図１】本発明の実施の形態に係る撮像装置の全体ブロック図である。
【図２】図１の撮像部の内部構成図である。
【図３】図１の制御部に設けられるＡＦ評価値検出部の内部ブロック図である。
【図４】本発明の第１実施例に係り、３つの顔を被写体として含んだ撮影画像を表す図である。
【図５】図４の撮影画像に含まれる各顔領域の中心位置を示す図である。
【図６】図４の撮影画像に対する、４つの撮影パラメータの算出手法を説明するための図である。
【図７】図４の撮影画像に対応して撮影された４枚のブラケット画像の表示状態を示す図である。
【図８】図７に示す４枚のブラケット画像の表示位置が、図１の操作部１７に対する操作によって変更される様子を示す図である。
【図９】図１の撮像装置にて実現されるブラケット撮影の動作手順を表すフローチャートである。
【図１０】図１の表示部に複数のサムネイル画像を表示させる場合における、全表示領域の分割の様子を示す図である。
【図１１】図１の表示部に複数のサムネイル画像を表示させた表示画面の様子を示す図である。
【図１２】本発明の第２実施例に係り、１つの顔を被写体として含んだ撮影画像を表す図である。
【図１３】図１２の撮影画像に対する、２つの撮影パラメータの算出手法を説明するための図である。
【図１４】本発明の第３実施例に係り、２つの顔を被写体として含んだ撮影画像を表す図である。
【図１５】図１４の撮影画像に対する、４つの撮影パラメータの算出手法を説明するための図である。
【符号の説明】
【０１２９】
１  撮像装置
１１  撮像部
１２  ＡＦＥ
１３  制御部
１４  顔検出部
１５  表示部
１６  記録媒体
１７  操作部
１７ａ  シャッタボタン
２１  ＡＦ評価値検出部
２２  ＡＥ評価値検出部
３０  ズームレンズ
３１  フォーカスレンズ
３２  絞り
３３  撮像素子
【図１】
2008109551.tif 000003
【図２】
2008109551.tif 000004
【図３】
2008109551.tif 000005
【図４】
2008109551.tif 000006
【図５】
2008109551.tif 000007
【図６】
2008109551.tif 000008
【図７】
2008109551.tif 000009
【図８】
2008109551.tif 000010
【図９】
2008109551.tif 000011
【図１０】
2008109551.tif 000012
【図１１】
2008109551.tif 000013
【図１２】
2008109551.tif 000014
【図１３】
2008109551.tif 000015
【図１４】
2008109551.tif 000016
【図１５】
2008109551.tif 000017